(57)【特許請求の範囲】
【請求項１】
電子回路基板で実行中のプログラムの進行状況を示すＰＯＳＴコードを、前記電子回路基板上のＩＣタグから、無線で送信して、外部装置としてのＰＯＳＴコード表示装置に可視的に表示させるＰＯＳＴコード表示システムであって、
それぞれ個別のアンテナを備え、互いに異なる情報が予め記録されている複数個の前記ＩＣタグと、
前記各アンテナを使用可能／不可能に切り替えるＰＯＳＴコードラッチ回路と、
前記各ＩＣタグに記録されている情報を無線で読み取るＩＣタグリーダと、
該ＩＣタグリーダによって読み取られた前記情報に基づいて前記ＰＯＳＴコードを可視的に表示する７セグメント構成の前記ＰＯＳＴコード表示装置とを備えてなると共に、
前記複数個のＩＣタグが、前記ＰＯＳＴコード表示装置を構成する複数個のセグメントに１対１対応で設けられていて、
前記ＰＯＳＴコードラッチ回路は、前記複数個のＩＣタグのうち、前記ＰＣＩバスへ出力されたＰＯＳＴコードに対応する情報が記録されたＩＣタグの前記アンテナのみを使用可能にし、
前記ＰＯＳＴコード表示装置は、前記ＩＣタグリーダが、使用可能な前記アンテナを備える前記ＩＣタグから読み取った情報に基づいて、対応するセグメントを駆動して、前記ＰＯＳＴコードを可視的に表示することを特徴とするＰＯＳＴコード表示システム。
【請求項２】
前記ＰＯＳＴコードラッチ回路は、前記各アンテナに直列に接続された開閉手段をＯＮ／ＯＦＦさせることにより、対応するアンテナを使用可能／不可能に切り替えることを特徴とする請求項１記載のＰＯＳＴコード表示システム。
【請求項３】
前記ＰＯＳＴコード表示装置は複数のＬＥＤから構成されていることを特徴とする請求項１記載のＰＯＳＴコード表示システム。
【請求項４】
電子回路基板で実行中のプログラムの進行状況を示すＰＯＳＴコードを、前記電子回路基板上のＩＣタグから、無線で送信して、外部装置としてのＰＯＳＴコード表示装置に可視的に表示させるＰＯＳＴコード表示方法であって、
それぞれ個別のアンテナを備え、互いに異なる情報が予め記録されている複数個の前記ＩＣタグと、
前記各アンテナを使用可能／不可能に切り替えるＰＯＳＴコードラッチ回路と、
前記各ＩＣタグに記録されている情報を無線で読み取るＩＣタグリーダと、
該ＩＣタグリーダによって読み取られた前記情報に基づいて前記ＰＯＳＴコードを可視的に表示する７セグメント構成の前記ＰＯＳＴコード表示装置とを配備し、
その際、前記複数個のＩＣタグを、前記ＰＯＳＴコード表示装置を構成する複数個のセグメントに１対１対応で設け、
前記ＰＯＳＴコードをＰＯＳＴコード表示装置に表示させるには、
前記ＰＯＳＴコードラッチ回路に、前記複数個のＩＣタグのうち、前記ＰＣＩバスへ出力されたＰＯＳＴコードに対応する情報が記録されたＩＣタグの前記アンテナのみを使用可能とさせ、
前記ＩＣタグリーダに、使用可能な前記アンテナを備える前記ＩＣタグに記録されている情報を無線で読み取らせ、
前記ＰＯＳＴコード表示装置に、前記ＩＣタグリーダが、使用可能な前記アンテナを備える前記ＩＣタグから読み取った情報に基づいて、対応するセグメントを駆動して、前記ＰＯＳＴコードを可視的に表示させることを特徴とするＰＯＳＴコード表示方法。
【請求項５】
前記ＰＯＳＴコードラッチ回路は、前記各アンテナに直列に接続された開閉手段をＯＮさせることにより、対応するアンテナを使用可能に切り替えることを特徴とする請求項４記載のＰＯＳＴコード表示方法。
【請求項６】
前記ＰＯＳＴコード表示装置として、ＬＥＤ表示装置を用いることを特徴とする請求項４記載のＰＯＳＴコード表示方法。
【請求項７】
請求項４、５又は６記載のＰＯＳＴコード表示方法をコンピュータに実行させるためのＰＯＳＴコード表示プログラム。
【発明の詳細な説明】
【技術分野】
【０００１】
この発明は、ＰＯＳＴコード表示システム、ＰＯＳＴコード表示方法、及びＰＯＳＴコード表示プログラムに係り、詳しくは、マザーボード（電子回路基板）などで実行されるＰＯＳＴ（Power-On Self Test：電源投入時自己診断テスト）コードを可視的に表示させるためのＰＯＳＴコード表示システム、ＰＯＳＴコード表示方法、及びその方法をコンピュータに実行させるためのＰＯＳＴコード表示プログラムに関する。
【背景技術】
【０００２】
例えば、パーソナルコンピュータ（ＰＣ）用のマザーボード（以下、ＰＣマザーボードという）は、ハードウエアを制御するプログラムであるＢＩＯＳ（Basic Input Output System）設定の進行状況をＰＯＳＴコードとしてＰＣＩ（Peripheral Component Interconnect）バスに出力している。したがって、ＰＣＩバスに出力されたＰＯＳＴコードをＬＥＤ（Light Emitting Diode：発光ダイオード）などに表示させて確認することにより、ユーザはＢＩＯＳの進行状況を特定することができる。
【０００３】
図６は、ＰＣマザーボードに搭載された、ＰＯＳＴコード表示装置の構成を示す概念図である。同図に示すように、ＰＯＳＴコード表示装置２０は、ＰＯＳＴコードラッチ回路１２と７セグメントＬＥＤ１３とを備えて構成されている。動作中におけるＰＣマザーボードのＢＩＯＳ設定の進行状況が、ＰＣＩバス１１からＰＯＳＴコードラッチ回路１２へ入力されると、ＰＯＳＴコードラッチ回路１２から７セグメントＬＥＤ１３へ、ＢＩＯＳ設定の進行状況に対応した指令信号が送信される。これによって、７セグメントＬＥＤ１３は、ＢＩＯＳ設定の進行状況に対応した内容のＰＯＳＴコードを表示する。したがって、ユーザは７セグメントＬＥＤ１３に表示されたＰＯＳＴコードを確認することによって、ＰＣマザーボードのＢＩＯＳ設定の進行状況を確認することができる。例えば、２桁の７セグメントＬＥＤ１３に“０１”と表示されたら『メモリテストの完了』、“０２”と表示されたら『ＰＣコントローラの初期化完了』などというように、７セグメントＬＥＤ１２に表示されたＰＯＳＴコードによってＢＩＯＳ設定の進行状況を確認することが可能となる。このようなＰＯＳＴコードラッチ回路１２と７セグメントＬＥＤ１３は、図示せぬＰＣマザーボード上に搭載しておくケースと、ＰＯＳＴコードラッチ回路１２と７セグメントＬＥＤ１３とを１枚の拡張ＰＣＩカードとして用意しておき、必要な時のみＰＣマザーボードに挿入して使用するケースとがある。
【０００４】
また、上記ＰＯＳＴコード表示装置の技術ではないが、リモコン操作体に、複数のＲＦＩＤ(Radio Frequency Identification；無線周波数識別)タグとそれぞれのＲＦＩＤタグに対応する押釦スイッチとを設け、押釦スイッチが操作されたＲＦＩＤタグに対応する赤外線リモコン信号のみが出力され、その赤外線リモコン信号に対応する操作対象機器のみをリモコン操作する遠隔操作システムの技術が開示されている（例えば、特許文献１参照）。この技術によれば、パッシブ型のＲＦＩＤタグを用いて操作情報を送信するリモコン操作体を構成しているため、リモコン操作体には電源（電池）が不要となるメリットがある。
【特許文献１】特開２００６−２８７８０７号公報
【発明の開示】
【発明が解決しようとする課題】
【０００５】
しかしながら、上記ＰＯＳＴコード表示装置においては、ＰＣマザーボードがシャーシに組み込まれた状態では、ＰＯＳＴコードを目視で確認することができない。すなわち、ＰＯＳＴコードを７セグメントＬＥＤで表示する方法では、ＰＣマザーボードがシャーシに組み込まれていて、ＰＣマザーボード上に７セグメントＬＥＤが実装されている場合は、ＰＯＳＴコードを目視で確認するためにはシャーシの蓋を空ける必要がある。このようなシャーシの分解作業によって、製造時の機能検査や市場で故障が発生したときなどにおいては、トラブルを対処するのにかなりの時間がかかってしまう。また、ケーブル等で延長して７セグメントＬＥＤを外部から見えるように設置することも可能であるが、通常の操作時には不要である７セグメントＬＥＤを可視的に搭載したくないケースも多く、また実装スペース及びコストの面から考えてもケーブルで引き回して７セグメントＬＥＤを可視的に搭載することは好ましくない。
【０００６】
また、特許文献１に記載の技術においては、複数のＲＦＩＤタグのうち押釦スイッチが押下されたＲＦＩＤタグに対応する赤外線信号（情報）のみが出力される。例えば、１２個のＲＦＩＤタグに対して１２個の押釦スイッチが対応している場合は、１個ずつの押釦スイッチを選択操作すると１２種類の赤外線信号（情報）しか出力することができない。一方、例えば、ＲＦＩＤタグからの無線信号によって２桁の７セグメントＬＥＤに情報（ＰＯＳＴコード）を表示させる場合は、複数のＲＦＩＤタグの無線信号の組み合わせによって７セグメントＬＥＤに所望のＰＯＳＴコード（例えば、“０１”とか“０２”など）を表示させることができるものであり、特許文献１に記載の技術のように、押釦スイッチが押下された1個のＲＦＩＤタグからの無線信号によって７セグメントＬＥＤに所望のＰＯＳＴコードを表示させることはできない。すなわち、特許文献１に記載のＲＦＩＤタグからの無線信号の送信技術によっては、シャーシに覆われたマザーボードから、可視できる位置に設置した７セグメントＬＥＤへＰＯＳＴコードに対応する信号を無線で送信する技術に展開することはできない。
【０００７】
この発明は、上記事情に鑑みてなされたものであり、マザーボード等がシャーシに組み込まれた状態でも、そのマザーボード等で実行されているＰＯＳＴコードを容易に確認することができるようなＰＯＳＴコード表示システム、ＰＯＳＴコード表示方法、及びその方法をコンピュータに実行させるためのＰＯＳＴコード表示プログラムを提供することを目的としている。
【課題を解決するための手段】
【０００８】
上記の課題を解決するために、この発明の第１の構成は、電子回路基板で実行中のプログラムの進行状況を示すＰＯＳＴコードを、前記電子回路基板上のＩＣタグから、無線で送信して、外部装置としてのＰＯＳＴコード表示装置に可視的に表示させるＰＯＳＴコード表示システムに係り、それぞれ個別のアンテナを備え、互いに異なる情報が予め記録されている複数個の前記ＩＣタグと、前記各アンテナを使用可能／不可能に切り替えるＰＯＳＴコードラッチ回路と、前記各ＩＣタグに記録されている情報を無線で読み取るＩＣタグリーダと、該ＩＣタグリーダによって読み取られた前記情報に基づいて前記ＰＯＳＴコードを可視的に表示する７セグメント構成の前記ＰＯＳＴコード表示装置とを備えてなると共に、前記複数個のＩＣタグが、前記ＰＯＳＴコード表示装置を構成する複数個のセグメントに１対１対応で設けられていて、前記ＰＯＳＴコードラッチ回路は、前記複数個のＩＣタグのうち、前記ＰＣＩバスへ出力されたＰＯＳＴコードに対応する情報が記録されたＩＣタグの前記アンテナのみを使用可能にし、前記ＰＯＳＴコード表示装置は、前記ＩＣタグリーダが、使用可能な前記アンテナを備える前記ＩＣタグから読み取った情報に基づいて、対応するセグメントを駆動して、前記ＰＯＳＴコードを可視的に表示することを特徴としている。
【０００９】
この発明の第２の構成は、電子回路基板で実行中のプログラムの進行状況を示すＰＯＳＴコードを、前記電子回路基板上のＩＣタグから、無線で送信して、外部装置としてのＰＯＳＴコード表示装置に可視的に表示させるＰＯＳＴコード表示方法に係り、それぞれ個別のアンテナを備え、互いに異なる情報が予め記録されている複数個の前記ＩＣタグと、前記各アンテナを使用可能／不可能に切り替えるＰＯＳＴコードラッチ回路と、前記各ＩＣタグに記録されている情報を無線で読み取るＩＣタグリーダと、該ＩＣタグリーダによって読み取られた前記情報に基づいて前記ＰＯＳＴコードを可視的に表示する７セグメント構成の前記ＰＯＳＴコード表示装置とを配備し、その際、前記複数個のＩＣタグを、前記ＰＯＳＴコード表示装置を構成する複数個のセグメントに１対１対応で設け、前記ＰＯＳＴコードをＰＯＳＴコード表示装置に表示させるには、前記ＰＯＳＴコードラッチ回路に、前記複数個のＩＣタグのうち、前記ＰＣＩバスへ出力されたＰＯＳＴコードに対応する情報が記録されたＩＣタグの前記アンテナのみを使用可能とさせ、前記ＩＣタグリーダに、使用可能な前記アンテナを備える前記ＩＣタグに記録されている情報を無線で読み取らせ、前記ＰＯＳＴコード表示装置に、前記ＩＣタグリーダが、使用可能な前記アンテナを備える前記ＩＣタグから読み取った情報に基づいて、対応するセグメントを駆動して、前記ＰＯＳＴコードを可視的に表示させることを特徴としている。
【発明の効果】
【００１１】
この発明の構成によれば、マザーボードで実行されているＰＯＳＴコードをＩＣタグ（ＲＦＩＤタグ）によって無線で出力するため、マザーボードがシャーシに組み込まれた状態でも、そのマザーボードで実行されているＰＯＳＴコードを目視で確認することができる。これにより、製造現場で検査不良検出や故障原因究明などを行う際に、従来よりも短時間でトラブル対処を行うことが可能となる。また、このＰＯＳＴコード表示システムは、予めマザーボードにＩＣタグを実装しておけば、ハードウエアの追加が不要であるので、低コストでマザーボードのＰＯＳＴコード表示システムを実現することができる。また、市場で稼働中のＰＣが故障したケースにおいても、そのＰＣのマザーボードへのハードウエアの追加（つまり、専用のＰＯＳＴカードの搭載）は不要であり、ＩＣタグリーダさえあれば容易にそのマザーボードのＰＯＳＴコードをチェックできる。
【発明を実施するための最良の形態】
【００１２】
この発明は、ＩＣタグ（ＲＦＩＤタグ）によるＰＯＳＴコード出力機能を備えたマザーボードにおけるＰＯＳＴコード表示システムであって、ＩＣタグに記録されたマザーボードのＰＯＳＴコードを無線で送信して、外部装置としての７セグメントＬＥＤに表示させることを特徴としている。以下、図面を参照して、この発明の実施形態について詳細に説明する。
【実施形態１】
【００１３】
図1は、この発明の第１の実施形態に係るＰＯＳＴコード送信装置の構成を示す概念図であり、同図（ａ）は、同ＰＯＳＴコード送信装置の全体構成を示す構成図、また、同図（ｂ）は、同ＰＯＳＴコード送信装置を構成するＩＣタグの詳細示す構成図である。
この発明のＰＯＳＴコード送信装置１０は、図示せぬＰＣマザーボードに搭載されて用いられ、図１（ａ）に示すように、ＰＣＩバス１からＢＩＯＳ設定の進行状況を入力するＰＯＳＴコードラッチ回路２と、ＰＯＳＴコードラッチ回路２がラッチ（保持）した情報に基づいて、予め記録されているデータを無線で外部へ出力するための複数のＩＣタグ３（Ａ１、Ａ２、Ｂ１、Ｂ２、…Ｇ１、Ｇ２）とを備えて構成されている。なお、各ＩＣタグ３（Ａ１、Ａ２、Ｂ１、Ｂ２、…Ｇ１、Ｇ２）は電池を必要としないパッシブタイプのものを使用している。
【００１４】
図１（ｂ）には、図１に示すＩＣタグ３（Ａ１、Ａ２、Ｂ１、Ｂ２、…Ｇ１、Ｇ２）のうち、ＩＣタグＡ１、Ｂ１、Ｃ１とそれぞれに付属するアンテナ３ａ（ａ１、ｂ１、ｃ１）が詳細に示されているが、図１に示す各ＩＣタグ３はそれぞれ個別のアンテナ３ａを備えている。すなわち、図示せぬＰＣマザーボード上には、ＰＯＳＴコードラッチ回路２と複数のＩＣタグ３と各ＩＣタグ３用のアンテナ３ａとが搭載されている。
【００１５】
図２は、この実施形態に係る（外部装置としての）ＰＯＳＴコード表示装置を構成する２桁の７セグメントＬＥＤを示す図である。すなわち、図１（ａ）に示すように、各ＩＣタグ３に予め書き込まれているデータは、上から１段目の各ＩＣタグ３には「Ａ１」、「Ａ２」、２段目の各ＩＣタグ３には「Ｂ１」、「Ｂ２」、７段目の各ＩＣタグ３には「Ｇ１」、「Ｇ２」というように、それぞれのＩＣタグ３には異なるデータが書き込まれており、これらのデータは、それぞれ、図２の示すＰＯＳＴコード表示装置５において、２桁の７セグメントＬＥＤ５ａ、５ｂの「Ａ１」〜「Ｇ１」及び「Ａ２」〜「Ｇ２」に相当する位置のＬＥＤを発光させる。なお、７セグメントＬＥＤが１桁の場合は、各ＩＣタグ３の「Ａ」〜「Ｇ」のデータが７セグメントＬＥＤの対応する位置「Ａ」〜「Ｇ」を発光させる。
【００１６】
図３は、上記ＰＯＳＴコード送信装置１０を構成する１つのＩＣタグ３の動作態様を示す概念図である。図３に示すように、ＩＣタグ３のアンテナ３ａには半導体スイッチ（開閉手段）４が接続され、ＰＯＳＴコードラッチ回路２によってこの半導体スイッチ４がＯＮ／ＯＦＦされるように構成されている。すなわち、ＰＯＳＴコードラッチ回路２からの信号によってそれぞれの半導体スイッチ４をＯＮ／ＯＦＦさせ、それぞれのＩＣタグ３のアンテナ３ａを個別に使用可能／不可能に切り替えられるようになっている。なお、アンテナ３ａの回路をＯＮ／ＯＦＦさせる開閉手段は、半導体スイッチに限定されるものではなく、メカニカルな有接点スイッチであってよいが、ＯＮ／ＯＦＦ時のノイズ等の発生を防ぐために半導体スイッチを用いることが望ましい。
【００１７】
すなわち、ＩＣタグの一般的なデータ読取り方法と同様に、あるセグメントのＬＥＤ（例えば、図２におけるセグメントＡ１）を発光（点灯）させる場合は、図３のＰＯＳＴコードラッチ回路２からの信号によって該当する半導体スイッチ４をＯＮにして、図１（ｂ）に示すＩＣタグＡ１のアンテナａ１を使用可能な状態にする。そして、図示せぬＩＣタグリーダによってＩＣタグＡ１のデータ（Ａ１）を読み取ることによって、図２に示す７セグメントＬＥＤ５ａのＡ１のＬＥＤを発光させる。
【００１８】
また、あるセグメントのＬＥＤ（例えば、図２におけるセグメントＢ１）を消灯させる場合には、図３のＰＯＳＴコードラッチ回路２からの信号によって該当する半導体スイッチ４をＯＦＦにして、図１（ｂ）に示すＩＣタグＢ１のアンテナｂ１を使用不可能な状態にする。これによって、図示せぬＩＣタグリーダはＩＣタグＢ１のデータ（Ｂ１）を読み取ることができないので、図２に示す７セグメントＬＥＤ５ａのＢ１のＬＥＤを消灯させる。
このようにして、ＰＯＳＴコードラッチ回路２によってそれぞれのアンテナ３ａをＯＮ又はＯＦＦにし、ＩＣタグリーダによってどのＩＣタグ３からの情報が読み取ったかにより、図２に示す２桁の７セグメントＬＥＤ５ａ、５ｂにＰＯＳＴコードを表示させることができるので、ユーザはそのＰＯＳＴコードの表示内容を判別することが可能となる。
【００１９】
図４は、この実施形態に係るＩＣタグリーダによってＩＣタグの情報を読み取る状態を示す概念図である。図４において、ＰＯＳＴコードラッチ回路２が任意のＩＣタグ３のアンテナ（図示せず）をＯＮ又はＯＦＦさせると、ＩＣタグリーダ６は、ＩＣタグ３のアンテナがＯＮされていてそのアンテナが使用可能な場合のみ、該当するＩＣタグ３に書き込まれた情報（例えばＡ１）を読み取ることができる。
【００２０】
図５は、ＰＯＳＴコード表示装置５の２桁の７セグメントＬＥＤ５ａ、５ｂによってＰＯＳＴコード「２Ｆ」を表示させた状態を示す概念図である。したがって、図５を参照してＰＯＳＴコード「２Ｆ」を表示させる場合の動作について説明する。図１において、図示せぬＰＣマザーボードに搭載されたＰＯＳＴコード送信装置１０がＰＣＩバスにＰＯＳＴコード「２Ｆ」のデータを出力する。すると、ＰＯＳＴコードラッチ回路２が、ＩＣタグ「Ａ１」、「Ｂ１」、「Ｇ１」、「Ｅ１」、「Ｄ１」、及び「Ａ２」、「Ｆ２」、「Ｅ２」、「Ｇ２」の各半導体スイッチ４をＯＮにしてそれぞれ対応するアンテナを使用可能な状態とする。
【００２１】
そして、図４に示すように、これらのＩＣタグのデータ（「Ａ１」、「Ｂ１」、「Ｇ１」、「Ｅ１」、「Ｄ１」、及び「Ａ２」、「Ｆ２」、「Ｅ２」、「Ｇ２」）をＩＣタグリーダ６によって読み取り、そのデータをＰＯＳＴコード表示装置５へ無線で転送すると、図５に示すように、２桁の７セグメントＬＥＤ５ａ、５ｂによってＰＯＳＴコード“２Ｆ”が表示される。このとき、図１に示すＰＯＳＴコード送信装置１０はマザーボードに搭載されてシャーシに覆われていても、図５に示すＰＯＳＴコード表示装置５を外部に設置すれば、ユーザはＰＯＳＴコード“２Ｆ”を目視で判別することができる。好適な実施形態としては、ＰＯＳＴコード表示装置５をＩＣタグリーダ６に設置すれば、ユーザは作業性の良い状態でＰＯＳＴコードを読み取ることができる。
【実施形態２】
【００２２】
上述の第１の実施形態では、複数のＩＣタグを用いてＰＯＳＴコード表示装置５に所望のＰＯＳＴコードを表示させたが、第２の実施形態として、１個のＩＣタグのみでＰＯＳＴコード表示装置５に所望のＰＯＳＴコードを表示させる方法について説明する。すなわち、第１の実施形態では読み取り専用のＩＣタグを用いたが、第２の実施形態では読み書き可能なＩＣタグを用いる。
【００２３】
これによって、例えば、ＰＣマザーボードに搭載されたＰＯＳＴコード送信装置からＰＯＳＴコードとして“２Ｆ”が送信されたときはＩＣタグに“２Ｆ”を書き込む。この場合は、ＰＣマザーボードにおけるＰＯＳＴコード送信装置のＰＯＳＴコードラッチ回路には、ＩＣタグへデータ書き込む機能を持たせる必要があるため、ＰＣマザーボードの基板面積や部品点数が増えてコストアップすることがある。しかし、ＩＣタグの情報をＩＣタグリーダで読み込んだデータが、そのままＰＯＳＴコード表示装置に表示されるので、操作性がよくなって取扱いやすい利点などがある。また、ＰＣマザーボードに限らず、汎用マイコンのファームウエア等においても同様の効果を期待することができる。
【００２４】
以上、この発明の実施形態について図面を参照して詳述してきたが、具体的な構成はこの実施形態に限られるものではなく、この発明の要旨を逸脱しない範囲の設計の変更等があってもこの発明に含まれる。
【産業上の利用可能性】
【００２５】
この発明におけるＰＯＳＴコード表示システムは、ＰＣやサーバの製造現場において、出荷検査での異常が発生した場合や、ＰＣやサーバの保守時などにおいて有効に利用することができる。
【図面の簡単な説明】
【００２６】
【図１】この発明の第１の実施形態に係るＰＯＳＴコード送信装置の構成を示す概念図であり、同図（ａ）は、同ＰＯＳＴコード送信装置の全体構成を示す構成図、また、同図（ｂ）は、同ＰＯＳＴコード送信装置を構成するＩＣタグの詳細示す構成図である。
【図２】同実施形態に係るＰＯＳＴコード表示装置を構成する２桁の７セグメントＬＥＤを示す図である。
【図３】同ＰＯＳＴコード送信装置を構成する１つのＩＣタグ３の動作態様を示す概念図である。
【図４】この実施形態に係るＩＣタグリーダによってＩＣタグの情報を読み取る状態を示す概念図である。
【図５】同ＰＯＳＴコード表示装置によるＰＯＳＴコードの表示例を示す概念図である。
【図６】関連するＰＯＳＴコード表示装置の構成を示す概念図である。
【符号の説明】
【００２７】
１、１１          ＰＣＩバス
２、１２          ＰＯＳＴコードラッチ回路
３（Ａ１、Ａ２、Ｂ１、Ｂ２、…Ｇ１、Ｇ２）        ＩＣタグ
３ａ（ａ１、ｂ１、ｃ１）        アンテナ
４  半導体スイッチ
５、２０        ＰＯＳＴコード表示装置
５ａ、５ｂ        ７セグメントＬＥＤ
６        ＩＣタグリーダ
１０        ＰＯＳＴコード送信装置
【図１】
0004967165.tif 000002
【図２】
0004967165.tif 000003
【図３】
0004967165.tif 000004
【図４】
0004967165.tif 000005
【図５】
0004967165.tif 000006
【図６】
0004967165.tif 000007